(57)【要約】      （修正有）【課題】小型電子製品に直接接続して使用できるパワーアンプ無しの拡声装置を提供する。【解決手段】拡声装置はオーディオモジュール、レギュレータモジュール及び伝送装置を備え、オーディオモジュールはオーディオ出力、音源のフィルタリング及び変換を実現する導音部材、音声検出モジュール及び音律変換モジュールを有し、レギュレータモジュールはオーディオ信号の受信及び変換を実現する信号検出モジュール、信号変換モジュール及び信号安定化音像定位モジュールを有し、伝送装置は信号の導入及び電力供給を実現するオーディオ信号伝送モジュール及び誘導電流伝送モジュールを有する。伝送装置はオーディオモジュールとレギュレータモジュールに、オーディオ信号伝送バスにより互いに連接される。【選択図】図１
0003185494.tif 000002
【実用新案登録請求の範囲】
【請求項１】
オーディオモジュール、レギュレータモジュール及び伝送装置を備え、
前記オーディオモジュールはオーディオ出力、音源のフィルタリング及び変換を実現する導音部材、音声検出モジュール及び音律変換モジュールを有し、
前記レギュレータモジュールはオーディオ信号の受信及び変換を実現する信号検出モジュール、信号変換モジュール及び信号安定化音像定位モジュールを有し、
前記伝送装置は信号の導入及び電力供給を実現するオーディオ信号伝送モジュール及び誘導電流伝送モジュールを有し、
前記各機能モジュールが互いに連接されることで、妨害のないオーディオ伝送及び定量的な音源信号の変換を実現する、
ことを特徴とするパワーアンプ無しの拡声装置。
【請求項２】
前記拡声装置の外構造は本体と少なくとも１つの音声発し部材とを備え、前記音声発し部材は前記本体の側面のいずれか一端に設けられ、且つ前記音声発し部材と前記本体と連接するところは伸縮可能であるため、自在なボリュームコントロールの実現を支援するのに用いられることを特徴とする請求項１に記載のパワーアンプ無しの拡声装置。
【請求項３】
前記導音部材は磁気共鳴により固定位置でオーディオ信号フィルタリングを実現する立体式の導音板であることを特徴とする請求項１に記載のパワーアンプ無しの拡声装置。
【請求項４】
前記音声検出モジュール及び前記音律変換モジュールはオーディオ信号変換回路によりオーディオデータ変換ユニットの組合せと連接されることで、オーディオデータ信号の機能的な拡大又は縮小を実現することを特徴とする請求項１に記載のパワーアンプ無しの拡声装置。
【請求項５】
前記信号検出モジュールが直接に前記信号変換モジュールと互いに連接されることで、音声信号は分類処理が行われてから独立の伝送チャンネルに入ることを実現するとともに、前記信号安定化音像定位モジュールにより音声信号伝送過程の中の無損失又は低損失の信号伝送の確保を実現することを特徴とする請求項１に記載のパワーアンプ無しの拡声装置。
【請求項６】
前記オーディオ信号伝送モジュール及び前記誘導電流伝送モジュールはデータ伝送回路又は他の電源線路により直接に前記信号検出モジュールと互いに連接されることでオーディオ入力及び電力供給を実現するとともに、前記信号検出モジュールはさらに少なくとも１つの逆音声信号伝送チャンネルが設けられることを特徴とする請求項１に記載のパワーアンプ無しの拡声装置。
【考案の詳細な説明】
【技術分野】
【０００１】
本考案は、音響分野で使用するパワーアンプ無しの拡声装置に関する。
【背景技術】
【０００２】
音響機器などの音声発生装置はすでに人々の生活の中で欠かせない存在となっており、異なる技術的特徴原理で、大型、中型、小型の外観デザインの音響機器がすでに家庭又は仕事環境で広く使用されている。音響機器はパワーアンプ、周辺機器（コンプレッサー、リミッター、エフェクター、イコライザー、エキサイターなど）、拡声器（スピーカーボックス、スピーカーユニット、）、ミキサー、音源（マイクロフォン、楽器、ビデオＣＤ、ＤＶＤ）、ディスプレイ装置などを備えており、これら全部でセットになる。
音響機器の中で拡声器は音声出力の機器であり、例えば、スピーカーユニット、ウーファーなどがこれに該当する。１つの拡声器ではウーファー、ミッドレンジ、ツイーターなど三種類のスピーカーユニットを備えるが、スピーカーユニットを三つ有するとは限らない。
【考案の概要】
【考案が解決しようとする課題】
【０００３】
従来から、アンプは基本的に音響機器の中で欠かせない部材であるが、携帯電話、パソコンなどの小型電子製品に使用される小型、ミニサイズの音響機器においては、パワーアンプを備える音響機器では体積が大きくなる、あるいはコストが高くなるに違いないので、効率的に使用できない。また、パワーアンプを備える音響機器は間違いなくそれに対応する制御装置、レギュレータなどの補助機器を備えるため、小型電子製品、特に携帯電話に直接接続して使用することに対応できないという欠点がある。
【０００４】
本考案は、このような従来の問題点に鑑みなされたもので、従来の技術の不足を解決すべく、モジュール化、内部統合により音声調整及び拡声を実現し、且つ外側の伸縮連接可能な部材で音量制御の実現を支援し、パワーアンプを用いなくても拡声伝送及びオーディオ制御を可能とするパワーアンプ無しの拡声装置を提供すること、を目的とする。
【課題を解決するための手段】
【０００５】
上記問題点を解決し、上記目的を達成するために、本考案のパワーアンプ無しの拡声装置はオーディオモジュール、レギュレータモジュール及び伝送装置を備え、前記オーディオモジュールはオーディオ出力、音源のフィルタリング及び変換を実現する導音部材、音声検出モジュール及び音律変換モジュールを備え、前記レギュレータモジュールはオーディオ信号の受信及び変換を実現する信号検出モジュール、信号変換モジュール及び信号安定化音像定位モジュールを備え、前記伝送装置は信号の導入及び電力供給を実現するオーディオ信号伝送モジュール及び誘導電流伝送モジュールを備え、上述の各機能モジュールが互いに連接されることで、妨害のないオーディオ伝送及び定量的な音源信号の変換を実現することを要旨とする。
【０００６】
また、このパワーアンプ無しの拡声装置は、各部が次のように具体化されることが好ましい。
（１）前記拡声装置の外構造は本体と少なくとも1つの音声発し部材を備え、前記音声発し部材は前記本体の側面のいずれか一端に設けられ、且つ前記音声発し部材と前記本体と連接するところは伸縮自在可能であるため、自在なボリュームコントロールの実現を支援するのに用いられる。
（２）前記導音部材は磁気共鳴により固定位置でオーディオ信号フィルタリングを実現する立体式の導音板である。
（３）前記音声検出モジュール及び前記音律変換モジュールはオーディオ信号変換回路によりオーディオデータ変換ユニットの組合せと連接されることで、オーディオデータ信号の機能的な拡大又は縮小を実現する。
（４）前記信号検出モジュールが直接に前記信号変換モジュールと互いに連接されることで、音声信号は分類処理が行われてから独立の伝送チャンネルに入ることを実現するとともに、前記信号安定化音像定位モジュールにより音声信号伝送過程の中の無損失又は低損失の信号伝送の確保を実現する。
（５）前記オーディオ信号伝送モジュール及び前記誘導電流伝送モジュールはデータ伝送回路又は他の電源線路により直接に前記信号検出モジュールと互いに連接されることでオーディオ入力及び電力供給を実現するとともに、前記信号検出モジュールはさらに少なくとも1つの逆音声信号伝送チャンネルが設けられる。
【考案の効果】
【０００７】
本考案のパワーアンプ無しの拡声装置では、モジュール化、内部統合により音声調整及び拡声を実現し、且つ外側の伸縮連接可能な部材により音量制御の実現を支援するため、パワーアンプを用いなくても拡声伝送及びオーディオ制御を可能とするという効果を奏する。また、体積の小さい構造であるため、携帯電話などの小型電子製品にも直接に接続して音声出力に対応することができる。そこで、携帯するのに便利であり、異なる環境で携帯し使用できるという効果を有する。
【図面の簡単な説明】
【０００８】
【図１】本考案の一実施の形態に係るパワーアンプ無しの拡声装置の全体構造を示す図
【図２】同パワーアンプ無しの拡声装置のモジュール化される構造を示す図
【図３】同パワーアンプ無しの拡声装置の機能特性原理を示す図
【考案を実施するための形態】
【０００９】
次に、この考案を実施するための形態について図を用いて説明する。
図１にパワーアンプ無しの拡声装置の全体構造を示している。図１に示すように、パワーアンプ無しの拡声装置はオーディオモジュール、レギュレータモジュール及び伝送装置を備える。
オーディオモジュールはオーディオ出力、音源のフィルタリング及び変換を実現する導音部材、音声検出モジュール及び音律変換モジュールを備える。
レギュレータモジュールはオーディオ信号の受信及び変換を実現する信号検出モジュール、信号変換モジュール及び信号安定化音像定位モジュールを備える。
伝送装置は信号の導入及び電力供給を実現するオーディオ信号伝送モジュール及び誘導電流伝送モジュールを備える。
これら各機能モジュールが互いに連接されることで、妨害のないオーディオ伝送及び定量的な音源信号の変換を実現する。
【００１０】
拡声装置の外構造は本体と少なくとも１つの音声発し部材とを備える。音声発し部材は本体の側面のいずれか一端に設けられ、且つ音声発し部材と本体と連接するところは伸縮可能であり、自在なボリュームコントロールの実現を支援するのに用いられる。
【００１１】
図２にパワーアンプ無しの拡声装置のモジュール化される構造を示している。図２に示すように、導音部材は磁気共鳴により固定位置でオーディオ信号フィルタリングを実現する立体式の導音板である。音声検出モジュール及び音律変換モジュールはオーディオ信号変換回路によりオーディオデータ変換ユニットの組合せと連接されることで、オーディオデータ信号の機能的な拡大又は縮小を実現する。信号検出モジュールが直接に信号変換モジュールと互いに連接されることで、音声信号は分類処理が行われてから独立の伝送チャンネルに入ることを実現するとともに、信号安定化音像定位モジュールにより音声信号伝送過程の中の無損失又は低損失の信号伝送の確保を実現する。オーディオ信号伝送モジュール及び誘導電流伝送モジュールはデータ伝送回路又は他の電源線路により直接に信号検出モジュールと互いに連接されることでオーディオ入力及び電力供給を実現するとともに、信号検出モジュールはさらに少なくとも１つの逆音声信号伝送チャンネルが設けられる。
【００１２】
図３にパワーアンプ無しの拡声装置の主な技術原理を示している。
（１）オーディオモジュールデザイン：複数のモジュールが構造体の内部に統合され、電磁アナログ信号を環状かつ自動的に変換するようなデザインにより音律の自動的な調整及び伝送を実現する。事前にオーディオ出力のパラメーター値を内部統合ブロックに設定しておく。応用範囲の変数値の可能なマイクロアジャスト、且つ信号変換の音波セグメント出力の方式により、オーディオ共鳴を実現することで、拡声データを識別するという目的に達する。
（２）レギュレータモジュールデザイン：それぞれ信号処理の前、後の二段調整を実現する。信号変換前の共鳴、フィルタリングによりオーディオ信号の分類を実現する。後期のオーディオ出力は直接に一時的な保存信号の音声信号ユニットを組合せて音声にして拡大し出力する。
（３）伝送装置：オーディオ入力端が直接に信号を受け、信号伝送回路により信号が交流し、且つ、信号変換過程の中で一時的に原始データ信号を保存することにより、オーディオの誤識別の場合に対照パラメータが見付からなくて音声データを失って音が歪むのを避けられる。
（４）本体構造デザイン：本体がスピーカーに連接され、スピーカーが本体の両端に設けられ、且つスピーカーと本体との間は伸縮自在可能な連接方式を取る。スピーカーは本体の両端にある中空部に収納可能であり、本体と一体的に結合されてもよく、本体の両端の外側に延長されても良い。延長する長さ、つまりスピーカーが本体の外部に露出した面積によりボリュームコントロールの実現を支援する。
【００１３】
なお、上述では本考案の好ましい実施例を開示したに過ぎず、それを以って、本考案の実用新案登録請求の範囲が制限されることは無い。この分野の技術者が、本考案の実施の形態を理解したうえ、本考案の思想を逸脱することなく種々の改造やそれと同じ置き換えを行っても、それはすべて本考案の範囲に含まれるものである。
【図１】
0003185494.tif 000003
【図２】
0003185494.tif 000004
【図３】
0003185494.tif 000005
【手続補正書】
【提出日】平成25年6月18日(2013.6.18)
【手続補正１】
【補正対象書類名】実用新案登録請求の範囲
【補正対象項目名】全文
【補正方法】変更
【補正の内容】
【実用新案登録請求の範囲】
【請求項１】
オーディオモジュール、レギュレータモジュール及び伝送装置を備え、
前記オーディオモジュールはオーディオ出力、音源のフィルタリング及び変換を実現する導音部材、音声検出モジュール及び音律変換モジュールを備え、
前記レギュレータモジュールはオーディオ信号の受信及び変換を実現する信号検出モジュール、信号変換モジュール及び信号安定化音像定位モジュールを備え、
前記伝送装置は信号の導入及び電力供給を実現するオーディオ信号伝送モジュール及び誘導電流伝送モジュールを備え、
前記伝送装置はそれぞれ前記オーディオモジュールと前記レギュレータモジュールに、オーディオ信号伝送バスにより互いに連接され、前記誘導電流伝送モジュールはそれぞれ前記信号検出モジュールと前記導音部材と連接されてデータ交換を実現し、前記導音部材はそれぞれ前記信号安定化音像定位モジュールと前記音律変換モジュールと連接され、前記オーディオ信号伝送モジュールは直接に前記信号安定化音像定位モジュールと前記誘導電流伝送モジュールと互いに連接されて、
妨害のないオーディオ伝送及び定量的な音源信号の変換を実現する、
ことを特徴とするパワーアンプ無しの拡声装置。
【請求項２】
前記拡声装置の外構造は本体と少なくとも１つの音声発し部材とを備え、前記音声発し部材は前記本体の側面のいずれか一端に設けられ、且つ前記音声発し部材と前記本体と連接するところは伸縮可能であるため、自在なボリュームコントロールの実現を支援するのに用いられることを特徴とする請求項１に記載のパワーアンプ無しの拡声装置。
【請求項３】
前記導音部材は磁気共鳴により固定位置でオーディオ信号フィルタリングを実現する立体式の導音板であることを特徴とする請求項１に記載のパワーアンプ無しの拡声装置。
【請求項４】
前記音声検出モジュール及び前記音律変換モジュールはオーディオ信号変換回路によりオーディオデータ変換ユニットの組合せと連接されることで、オーディオデータ信号の機能的な拡大又は縮小を実現することを特徴とする請求項１に記載のパワーアンプ無しの拡声装置。
【請求項５】
前記信号検出モジュールが直接に前記信号変換モジュールと互いに連接されることで、音声信号は分類処理が行われてから独立の伝送チャンネルに入ることを実現するとともに、前記信号安定化音像定位モジュールにより音声信号伝送過程の中の無損失又は低損失の信号伝送の確保を実現することを特徴とする請求項１に記載のパワーアンプ無しの拡声装置。
【請求項６】
前記オーディオ信号伝送モジュール及び前記誘導電流伝送モジュールはデータ伝送回路又は他の電源線路により直接に前記信号検出モジュールと互いに連接されることでオーディオ入力及び電力供給を実現するとともに、前記信号検出モジュールはさらに少なくとも１つの逆音声信号伝送チャンネルが設けられることを特徴とする請求項１に記載のパワーアンプ無しの拡声装置。
【手続補正２】
【補正対象書類名】明細書
【補正対象項目名】０００９
【補正方法】変更
【補正の内容】
【０００９】
次に、この考案を実施するための形態について図を用いて説明する。
図１にパワーアンプ無しの拡声装置の全体構造を示している。図１に示すように、パワーアンプ無しの拡声装置はオーディオモジュール、レギュレータモジュール及び伝送装置を備える。
オーディオモジュールはオーディオ出力、音源のフィルタリング及び変換を実現する導音部材、音声検出モジュール及び音律変換モジュールを備える。
レギュレータモジュールはオーディオ信号の受信及び変換を実現する信号検出モジュール、信号変換モジュール及び信号安定化音像定位モジュールを備える。
伝送装置は信号の導入及び電力供給を実現するオーディオ信号伝送モジュール及び誘導電流伝送モジュールを備える。
前記伝送装置はそれぞれ前記オーディオモジュールと前記レギュレータモジュールに、オーディオ信号伝送バスにより互いに連接され、前記誘導電流伝送モジュールはそれぞれ前記信号検出モジュールと前記導音部材と連接されてデータ交換を実現し、前記導音部材はそれぞれ前記信号安定化音像定位モジュールと前記音律変換モジュールと連接され、前記オーディオ信号伝送モジュールは直接に前記信号安定化音像定位モジュールと前記誘導電流伝送モジュールと互いに連接されて、妨害のないオーディオ伝送及び定量的な音源信号の変換を実現する。